(57)【要約】【課題】自動体外式除細動器の設置場所や災害発生時の避難場所等に設置し、使用時において、スクリーン体を展開状態に形成し、展開状態のスクリーン体を取り囲み形状に形成して床面等に立設することになり、このスクリーン体の立設によりプライバシーを保護可能な空間を形成することができ、嵩張ることもなくなると共に軽量化を図ることができ、使用の融通性を高めることができる。【解決手段】自動体外式除細動器の設置場所や災害発生時の避難場所等に設置され、展開状態で起立可能なプライバシーを保護するために使用される四角シート状のスクリーン材１を備えてなり、スクリーン材は波形に成型された心材１ａの片面に面材１ｂを貼合わせてなるジグザグ状に折畳展開可能な片面段ボール材Ｗからなる。【選択図】図１
0003134117.tif 000002
【実用新案登録請求の範囲】
【請求項１】
自動体外式除細動器の設置場所や災害発生時の避難場所等に設置され、展開状態で起立可能なプライバシーを保護するために使用される四角シート状のスクリーン材を備えてなり、上記スクリーン材は波形に成型された心材の片面に面材を貼合わせてなるジグザグ状に折畳展開可能な片面段ボール材からなることを特徴とするスクリーン。
【請求項２】
上記スクリーン材の左右両端部にそれぞれ波形に成型された心材の両面に面材を貼合わせてなる両面段ボール材からなる補強面材を挟着状態に貼り合わせてなることを特徴とする請求項１記載のスクリーン。
【請求項３】
上記スクリーン材の左右両端部にそれぞれ相互に止着可能な止着手段を備えてなることを特徴とする請求項１又は２記載のスクリーン。
【請求項４】
上記スクリーン材の左右両端部にそれぞれ指挿通穴部を形成してなることを特徴とする請求項１〜３のいずれか１項に記載のスクリーン。
【請求項５】
上記折畳状態のスクリーン材を収納可能な箱体を備えてなることを特徴とする請求項１〜４のいずれか１項に記載のスクリーン。
【考案の詳細な説明】
【技術分野】
【０００１】
本考案は例えば自動体外式除細動器の設置場所や災害発生時の避難場所等に設置され、個人のプライバシーを保護するために使用されるスクリーンに関するものである。
【背景技術】
【０００２】
従来、この種のスクリーンとして、複数枚の段ボールからなるスクリーン材を結合してなる構造のものが知られている。
【特許文献１】特開２００３−１２９５９３公報
【考案の開示】
【考案が解決しようとする課題】
【０００３】
しかしながらこれらスクリーンの場合、複数枚のスクリーン材からなり、嵩張ると共に重量が大きくなり、保管時や運搬時等において、大きな保管スペースが必要となったり、運搬作業が厄介であるという不都合を有している。
【課題を解決するための手段】
【０００４】
本考案はこれらの不都合を解決することを目的とするもので、本考案のうちで、請求項１記載の考案は、自動体外式除細動器の設置場所や災害発生時の避難場所等に設置され、展開状態で起立可能なプライバシーを保護するために使用される四角シート状のスクリーン材を備えてなり、上記スクリーン材は波形に成型された心材の片面に面材を貼合わせてなるジグザグ状に折畳展開可能な片面段ボール材からなることを特徴とするスクリーンにある。
【０００５】
又、請求項２記載の考案は、上記スクリーン材の左右両端部にそれぞれ波形に成型された心材の両面に面材を貼合わせてなる両面段ボール材からなる補強面材を挟着状態に貼り合わせてなることを特徴とするものであり、又、請求項３記載の考案にあっては、上記スクリーン材の左右両端部にそれぞれ相互に止着可能な止着手段を備えてなることを特徴とするものであり、又、請求項４記載の考案は、上記スクリーン材の左右両端部にそれぞれ指挿通穴部を形成してなることを特徴とするものであり、又、請求項５記載の考案は、上記折畳状態のスクリーン材を収納可能な箱体を備えてなることを特徴とするものである。
【考案の効果】
【０００６】
本考案は上述の如く、請求項１記載の考案にあっては、自動体外式除細動器の設置場所や災害発生時の避難場所等に設置し、使用時において、スクリーン体を展開状態に形成し、展開状態のスクリーン体を取り囲み形状に形成して床面等に立設することになり、このスクリーン体の立設によりプライバシーを保護可能な空間を形成することができ、嵩張ることもなくなると共に軽量化を図ることができ、かつ、保管時や運搬時等において、少ない保管スペースで保管することができると共に容易に運搬作業を行うことができ、更に、上記スクリーン材は波形に成型された心材の片面に面材を貼合わせてなる折畳展開可能な片面段ボール材からなるので、スクリーン材を容易に折畳展開することができると共にスクリーン材を任意の取り囲み形状に形成することができ、使用の融通性を高めることができる。
【０００７】
又、請求項２記載の考案にあっては、上記スクリーン材の左右両端部にそれぞれ波形に成型された心材の両面に面材を貼合わせてなる両面段ボール材からなる補強面材を挟着状態に貼り合わせてなるから、スクリーン材の両端部の剛性を高めることができて折畳展開形状を保形することができると共に折畳展開動作を容易に行うことができ、又、請求項３記載の考案にあっては、上記スクリーン材の左右両端部にそれぞれ相互に止着可能な止着手段を備えてなるから、止着手段によりスクリーン材を取り囲み形状に保形することができて確実に床面等に立設することができ、又、請求項４記載の考案にあっては、上記スクリーン材の左右両端部にそれぞれ指挿通穴部を形成してなるから、指挿通穴部に指を挿通することにより上記スクリーン材の折畳展開動作を容易に行うことができ、又、請求項５記載の考案にあっては、上記折畳状態のスクリーン材を収納可能な箱体を備えてなるから、スクリーン材をコンパクトに折り畳んで保管収納することができ、自動体外式除細動器の設置場所や災害発生時の避難場所等において、小さな設置スペースで設置保管することができ、使用の利便性並びに設置の融通性を高めることができる。
【考案を実施するための最良の形態】
【０００８】
図１乃至図８は本考案の実施の形態例を示し、１スクリーン材であって、四角シート状に形成され、図１の如く、床面等に立設可能に形成され、この場合、図２の如く、波形に成型された板紙製の心材１ａの片面に板紙製の面材１ｂを貼合わせてなる折り畳み方向に直交する方向にジグザク状に折畳展開可能な片面段ボール材Ｗにより形成されている。
【０００９】
２・２は補強面材であって、図３、図４の如く、波形に成型された板紙製の心材２ａの両面に板紙製の面材２ｂ・２ｂを貼合わせてなる両面段ボール材Ｆからなり、この補強面材２・２を上記スクリーン材１の左右両端部にそれぞれ挟着状態に貼り合わせて形成している。
【００１０】
３・３は止着手段であって、この場合、相互に止着可能な面ファスナーからなり、上記スクリーン材１の左右両端部に接着により取り付けられている。
【００１１】
４・４指挿通穴部であって、上記スクリーン材１の左右両端部にそれぞれ形成されている。
【００１２】
５は箱体であって、四角箱状であって、板紙により形成され、図５、図６、図７の如く、上記折畳状態のスクリーン材１を収納可能に形成され、肩掛け紐部５ａ及び相互に止着可能な面ファスナーからなる止着手段６・６を設けて構成している。
【００１３】
この実施の形態例は上記構成であるから、図７の如く、上記箱体５内に四角シート状のスクリーン材１をジグザグ状に折り畳み収納し、この収納状態において、自動体外式除細動器の設置場所や災害発生時の避難場所等に設置し、使用時において、箱体１を開口し、図５、図１の如く、箱体１内からスクリーン体１を引き出して展開状態に形成し、展開状態のスクリーン体１を、例えば図８の如く、円形状の取り囲み形状に形成して床面等に立設することになり、このスクリーン体１の立設によりプライバシーを保護可能な空間を形成することができ、嵩張ることもなくなると共に軽量化を図ることができ、かつ、保管時や運搬時等において、少ない保管スペースで保管することができると共に容易に運搬作業を行うことができ、更に、上記スクリーン材１は波形に成型された心材１ａの片面に面材１ｂを貼合わせてなる折畳展開可能な片面段ボール材Ｗからなるので、スクリーン材１を容易に折畳展開することができると共にスクリーン材１を任意の取り囲み形状に形成することができ、使用の融通性を高めることができる。
【００１４】
又、この場合、図３、図４の如く、上記スクリーン材１の左右両端部にそれぞれ波形に成型された心材２ａの両面に面材２ｂ、２ｂを貼合わせてなる両面段ボール材Ｆからなる補強面材２を挟着状態に貼り合わせてなるから、スクリーン材１の両端部の剛性を高めることができて折畳展開形状を保形することができると共に折畳展開動作をを容易に行うことができ、又、この場合、図１、図８の如く、上記スクリーン材１の左右両端部にそれぞれ相互に止着可能な止着手段３・３を備えてなるから、止着手段３・３によりスクリーン材１を取り囲み形状に保形することができて確実に床面等に立設することができ、又、この場合、上記スクリーン材１の左右両端部にそれぞれ指挿通穴部４・４を形成してなるから、指挿通穴部４・４に指を挿通することにより上記スクリーン材１の折畳展開動作を容易に行うことができ、又、この場合、上記折畳状態のスクリーン材１を収納可能な箱体５を備えてなるから、スクリーン材１をコンパクトに折り畳んで保管収納することができ、自動体外式除細動器の設置場所や災害発生時の避難場所等において、小さな設置スペースで設置保管することができ、使用の利便性並びに設置の融通性を高めることができる。
【００１５】
尚、本考案は上記実施の形態例に限られるものではなく、例えば、スクリーン材の大きさや形態等は適宜変更して設計されるものである。
【００１６】
以上、所期の目的を充分達成することができる。
【図面の簡単な説明】
【００１７】
【図１】本考案の実施の形態例の斜視図である。
【図２】本考案の実施の形態例の部分拡大平面図である。
【図３】本考案の実施の形態例の両端部の部分平面図である。
【図４】本考案の実施の形態例の両端部の拡大縦断面図である。
【図５】本考案の実施の形態例の斜視図である。
【図６】本考案の実施の形態例の斜視図である。
【図７】本考案の実施の形態例の横断面図である。
【図８】本考案の実施の形態例の使用状態の平面図である。
【符号の説明】
【００１８】
Ｗ    片面ダンボール材
Ｆ    両面ダンボール材
１    スクリーン材
１ａ    心材
１ｂ    面材
２    補強面材
２ａ    心材
２ｂ    面材
３    止着手段
４    指挿通穴部
５    箱体
【図１】
0003134117.tif 000003
【図２】
0003134117.tif 000004
【図３】
0003134117.tif 000005
【図４】
0003134117.tif 000006
【図５】
0003134117.tif 000007
【図６】
0003134117.tif 000008
【図７】
0003134117.tif 000009
【図８】
0003134117.tif 000010